(57)【要約】【課題】内枠とガラス枠との隙間からピアノ線等の不正具が侵入されるのを防止できる遊技機を提供する。【解決手段】内枠１４とガラス枠２２の隙間を覆うようにして、シート部材１００が架設される。シート部材１００は、シート材１０２と、シート材１０２の一端側に設けられガラス枠２２に取り付けられる取付用板金１０４と、シート材１０２の他端側に設けられ内枠１４に取り付けられる固定用板金１１０とで構成されている。ここで、シート部材１００の取り付け後、ガラス枠２２を閉止すると、内枠１４とガラス枠２２の隙間１３６をシート部材１００が覆う。これにより、不正行為によって隙間１３６にピアノ線等の不正具が侵入されても、不正具の先端がシート材１０２と接触して侵入を止めるので、パチンコ機１０内部に不正具が侵入されない。【選択図】図６
2008104796.tif 000002
【特許請求の範囲】
【請求項１】
遊技盤が組付けられた内枠と、
前記内枠に開閉可能に取付けられ、前記遊技盤が視認可能なガラスを備えたガラス枠と、
前記内枠と前記ガラス枠の間に架設され、前記内枠と前記ガラス枠のヒンジ部側の隙間を覆うシート部材と、
を備えたことを特徴とする遊技機。
【請求項２】
前記シート部材が弾性変形可能な可撓性シートであり、
前記可撓性シートの一端は、前記内枠に取付けられる内枠側取付部材に固定され、
前記可撓性シートの他端は、前記ガラス枠に取付けられるガラス枠側取付部材へ固定されたことを特徴とする請求項１に記載の遊技機。
【請求項３】
前記内枠及び前記ガラス枠のいずれか一方、又は両方に受穴部が形成され、
前記内枠側取付部材及び前記ガラス枠側取付部材のいずれか一方、又は両方に前記可撓性シートとともに挿入穴が形成され、
前記挿入穴と前記受穴部に挿入され拡径して係合するスナップラッチが設けられたことを特徴とする請求項２に記載の遊技機。
【発明の詳細な説明】
【技術分野】
【０００１】
本発明は、遊技盤が組付けられた内枠と、該内枠に開閉可能に取付けられたガラス枠とを備えた遊技機に関する。
【背景技術】
【０００２】
従来、遊技盤が組付けられた内枠と、該内枠に開閉可能に取付けられたガラス枠とを備えたパチンコ機等の遊技機において、ガラス枠のガラス面の隙間からピアノ線等の不正具が挿入されて不正行為が行われるのを防止するため、遊技盤のレール部に不正防止部材を設けたものがある。（例えば、特許文献１参照）。
【特許文献１】特開平８−１６４２４８号公報
【発明の開示】
【発明が解決しようとする課題】
【０００３】
しかしながら、特許文献１の遊技機は、ガラス面の隙間に不正具が侵入するのを防ぐのみで、内枠とガラス枠との隙間から侵入する不正具を防ぐことができなかった。
【０００４】
本発明は、上記事実を考慮して、内枠とガラス枠との隙間からピアノ線等の不正具が侵入されるのを防止できる遊技機を提供することを目的とする。
【課題を解決するための手段】
【０００５】
本発明の請求項１に係る遊技機は、遊技盤が組付けられた内枠と、前記内枠に開閉可能に取付けられ、前記遊技盤が視認可能なガラスを備えたガラス枠と、前記内枠と前記ガラス枠の間に架設され、前記内枠と前記ガラス枠のヒンジ部側の隙間を覆うシート部材と、を備えたことを特徴としている。
【０００６】
上記構成によれば、不正行為により内枠とガラス枠との隙間からピアノ線等が侵入されても、内枠とガラス枠との隙間をシート部材が覆っているので、ピアノ線等がシート部材に当って遊技機内部への侵入が防止される。
【０００７】
本発明の請求項２に係る遊技機は、前記シート部材が弾性変形可能な可撓性シートであり、前記可撓性シートの一端は、前記内枠に取付けられる内枠側取付部材に固定され、前記可撓性シートの他端は、前記ガラス枠に取付けられるガラス枠側取付部材へ固定されたことを特徴としている。
【０００８】
上記構成によれば、ガラス枠の開閉状態に応じて可撓性シートが弾性変形するので、可撓性シートの取付けが容易となる。
【０００９】
また、内枠側取付部材及びガラス枠側取付部材を介して可撓性シートが内枠及びガラス枠へ取付けられるので、可撓性シートが傷みにくく、また、確実に取付けられる。
【００１０】
本発明の請求項３に係る遊技機は、前記内枠及び前記ガラス枠のいずれか一方、又は両方に受穴部が形成され、前記内枠側取付部材及び前記ガラス枠側取付部材のいずれか一方、又は両方に前記可撓性シートとともに挿入穴が形成され、前記挿入穴と前記受穴部に挿入され拡径して係合するスナップラッチが設けられたことを特徴としている。
【００１１】
上記構成によれば、スナップラッチを用いることでシート材の取付け作業が容易になる。また、不正行為によりシート材が傷つけられることがあっても、スナップラッチによりシート材を取り外して交換する作業が容易となる。
【発明の効果】
【００１２】
本発明は、上記構成としたので、内枠とガラス枠との隙間からピアノ線等の不正具が侵入されるのを防止できる。
【発明を実施するための最良の形態】
【００１３】
以下、本発明の遊技機の実施形態について図面を参照して説明する。
【００１４】
（パチンコ機の構成）
図１には、パチンコ機１０が示されている。
【００１５】
図１に示すように、パチンコ機１０は、パチンコ機１０の外郭を構成するとともにパチンコホールの島設備に設置される木製で矩形状の外枠１２を備えている。
【００１６】
外枠１２の前面には、硬質の合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００１７】
内枠１４は、外枠１２の左上角部と下飾り１６の左上角部とに設けられた一対のヒンジ部１８、２０に、左側端部が軸支されて開閉可能に取り付けられている。
【００１８】
内枠１４の前面上部には、パチンコ機１０の前面上部を構成するガラス枠２２が配置されている。ガラス枠２２は、縦長略楕円形の窓部２４にガラス板２６が装着されるとともに、左側端部が内枠１４に軸支されて開閉可能に取り付けられている。
【００１９】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００２０】
一方、内枠１４の前面下部には、パチンコ機１０の前面下部を構成する皿ユニット４０が配置されている。
【００２１】
皿ユニット４０は、皿ユニット４０の本体部を構成するベース４１の左側端部が、内枠１４に軸支されて開閉可能に取り付けられている。
【００２２】
ベース４１の前面上部には、パチンコ球を遊技盤Ｇ（図２参照）へ向けて発射するために貯留して発射装置６０（図２参照）へ供給する上皿４２が突設されている。また、ベース４１の前面下部における上皿４２の左下には、上皿４２に貯留しきれないパチンコ球を貯留するための下皿４４が突設されている。
【００２３】
上皿４２は、底面が正面視にて右側から左側へ向けて下り傾斜している。また、上皿４２の前面左側には、上皿用球抜きレバー５０が設けられている。
【００２４】
上皿４２の底面の傾斜方向下流側には、上皿４２内に貯留されたパチンコ球を１列に整列して、ベース４１の裏面に取り付けられた球送り装置４５（図２参照）へ誘導する整列通路４６が設けられている。
【００２５】
ベース４１によって構成された上皿４２の奥壁面における右側端部には、内枠１４の裏面に設けられた払出装置６２（図３参照）から払い出された貸し球や賞球が排出される球排出口４８が形成されている。
【００２６】
下皿４４の奥壁面における右側端部には、上皿４２に貯留しきれないパチンコ球が排出される球排出口４９が形成されている。また、下皿４４の前面下側には、下皿用球抜きレバー５２が設けられている。
【００２７】
ベース４１の前面右下部には、発射装置６０と電気的に接続されて打球の発射力（飛距離）を調整する発射ハンドル５４が取り付けられている。ベース４１の前面左下部には、下皿４４に隣接して灰皿５６が設けられている。
【００２８】
また、ベース４１の前面略中央は矩形箱状に膨出しており、内部には、遊技の進行に応じて効果音を出力する図示しない重低音用のスピーカが設けられている。スピーカから出力された音は、ベース４１の前面に形成された開口部５８から出力される。
【００２９】
図２に示すように、ガラス枠２２の裏面側となる内枠１４の前面上部には、矩形状の開口部１５が形成されている。この内枠１４の開口部１５には、遊技盤Ｇが着脱（交換）可能にセットされている。
【００３０】
遊技盤Ｇは、アクリル等の透明な樹脂板で構成され、前面側に図示しない釘及び液晶表示部が取付けられている。これにより、遊技盤Ｇの奥側に配置される液晶表示パネルＬＰ（図４参照）が視認可能となっている。
【００３１】
また、遊技盤Ｇは、内枠１４に対して閉塞されたガラス枠２２によって覆われており、遊技盤Ｇの盤面上に設けられた遊技領域ＰＡが、パチンコ機１０の正面側から窓部２４のガラス板２６を通して視認可能とされている。
【００３２】
ベース４１の裏面における略中央部には、上皿４２に貯留しきれないパチンコ球を下皿４４へ流下させる球通路７０が設けられている。
【００３３】
球通路７０は、上端部に通路入口７２が形成され、下端部に形成された通路出口は、球排出口４９（図１参照）と連通している。球通路７０よりも回転支軸に近い側には、球送り装置４５が取り付けられている。
【００３４】
一方、皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００３５】
貯球タンク７４は、上面が開口した箱型とされ、タンク底面が正面視にて左側から右側へ向けて下り傾斜している。
【００３６】
貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出す、オーバーフロー部７８が形成されている。
【００３７】
図２及び図３に示すように、内枠１４の裏面における開放側（裏面視左側）の側端部には、内枠１４及びガラス枠２２を施錠するための施錠装置６４が取付けられている。
【００３８】
施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。
【００３９】
施錠装置６４にはシリンダー錠６６が設けられており、シリンダー錠６６は、皿ユニット４０の前面右上に露出されている。
【００４０】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。
【００４１】
さらに、ガラス枠２２を開放することで露出されるロック装置６８のロック解除レバー６９を操作すると、内枠１４にロックされていた皿ユニット４０がロック解除されて開放可能となる。
【００４２】
皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００４３】
図３に示すように、内枠１４の裏面における上部には、島設備から供給されたパチンコ球を貯留するための上タンク８０及び下タンク８２が設けられている。
【００４４】
内枠１４裏面の回転支軸側（裏面右側）の側端部には、上タンク８０及び下タンク８２に貯留されたパチンコ球を貯球タンク７４（図２参照）側へ流下させる上部球通路ユニット８４及び下部球通路ユニット８６が延設されている。
【００４５】
上部球通路ユニット８４と下部球通路ユニット８６の間には、パチンコ球を所定数ずつ払い出す払出装置６２が取り付けられている。また、下部球通路ユニット８６の下側には、パチンコ球を遊技盤Ｇ（図２参照）へ発射する発射装置６０が取付けられている。
【００４６】
発射装置６０の左側には、払出装置６２を制御してパチンコ球の払い出しを実行及び停止させる払出制御基板８８が設けられている。
【００４７】
払出制御基板８８は、払出停止制御と払出実行制御を実行可能に設けられている。
【００４８】
払出停止制御の場合、払出制御基板８８は、払出装置６２を駆動停止させてパチンコ球の払い出しを停止する。
【００４９】
一方、払出実行制御の場合、払出制御基板８８は、払出装置６２を駆動させ、上タンク８０及び下タンク８２から上部球通路ユニット８４を流下し払出装置６２に誘導されたパチンコ球を、貸し球又は賞球として下部球通路ユニット８６へ払い出す。
【００５０】
そして、図１〜図３に示すように、下部球通路ユニット８６を通り貯球タンク７４へ誘導されたパチンコ球は、貯球タンク７４内を上流側（左側）から下流側（右側）へ転動して球排出口４８から排出され、上皿４２に貯留される。
【００５１】
さらに、パチンコ球は上皿４２内を下流側（左側）へ流下しつつ整列通路４６により１列に整列され、遊技者の発射ハンドル５４の操作により、球送り装置４５により１球ずつ発射装置６０に送り込まれる。
【００５２】
発射装置６０に送り込まれたパチンコ球は、発射装置６０によって遊技盤Ｇの遊技領域ＰＡへ発射される（図２の矢印Ａ方向）。このパチンコ球が遊技領域ＰＡを自重落下する過程で入賞又は外れとなり、遊技盤Ｇにてパチンコ球を用いた遊技が行われる。
【００５３】
遊技の進行に伴い、大量のパチンコ球が賞球として払い出されるなどし、上皿４２が満タンになると、上皿４２に貯留しきれないパチンコ球は貯球タンク７４に貯留される。
【００５４】
さらに貯球タンク７４が満タンになると、パチンコ球はオーバーフロー部７８から溢れ出す。この貯球タンク７４から溢れ出したパチンコ球は、通路入口７２に落下して球通路７０を流下し、球排出口４９から排出されて下皿４４に貯留される。
【００５５】
また、遊技の終了時などに上皿用球抜きレバー５０を操作すると、整列通路４６の最下流部が開放して、上皿４２に貯留されたパチンコ球が球通路７０へ排出され下皿４４へ流下する。
【００５６】
さらに、下皿４４がパチンコ球で満タンになったときや遊技の終了時などに下皿用球抜きレバー５２を操作すると、下皿底面の一部が開放して、下皿４４に貯留されたパチンコ球が下皿４４の下方に配置された図示しない球箱へ排出される。
【００５７】
一方、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００５８】
シャッター板９０、９２は、皿ユニット４０が閉塞されると各々下方へ移動して、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。
【００５９】
このシャッター板９０、９２によって、皿ユニット４０を開放した際に、貯球タンク７４及び上皿４２からパチンコ球が流出しないよう塞き止められる。
【００６０】
図４は、内枠１４から遊技盤Ｇを取外した状態を示している。
【００６１】
図４に示すように、内枠１４の奥側（遊技盤Ｇの裏側）には、略矩形状の液晶表示パネルＬＰが取付けられている。液晶表示パネルＬＰは、略水平方向に配置された図示しない上下一対のレール部により支持されており、内枠１４を開放した状態で、内枠１４の側壁の開口（図示せず）からレール部に沿ってスライドさせることで交換可能となっている。
【００６２】
（シート部材の構成）
図２及び図４に示すように、内枠１４とガラス枠２２のヒンジ部１８、２２の隙間を覆うようにして、シート部材１００が架設されている。
【００６３】
図５に示すように、シート部材１００は、シート材１０２と、シート材１０２の一端側に設けられガラス枠２２に取り付けられる取付用板金１０４と、シート材１０２の他端側に設けられ内枠１４に取り付けられる固定用板金１１０とで構成されている。
【００６４】
シート材１０２は、ポリウレタンシート等の弾性及び耐熱性を有するシート状の樹脂で構成されている。
【００６５】
取付用板金１０４は、略Ｌ字形状となっており、取付用板金１０４と補助板金１０６でシート材１０２を挟み、複数のリベット１１４でシート材１０２に固定されている。
【００６６】
また、取付用板金１０４は、取り付け時の逃げ穴１１６と、スナップラッチ１０８が挿通される挿通穴１０９が形成されている。スナップラッチ１０８は、押すと先端が拡径し、引くと先端が縮径するようになっている。
【００６７】
固定用板金１１０は、端部が略Ｌ字状に折り曲げられ、固定部１１２が形成されており、シート材１０２に接着剤で固定されている。また、固定用板金１１０は、２箇所に切欠部１１８が形成され、シート材１０２も切欠部１１８に合わせてカットされている。
【００６８】
一方、図６に示すように、内枠１４の液晶パネルＬＰの左側前方には、上下２箇所に固定部１３０が設けられている。
【００６９】
固定部１３０の端面には、固定部１１２を内枠１４に固定するための固定金具１３２が、位置決めされビス１３１によりゆるく締結されている。また、固定金具１３２には、ガラス枠２２を閉止したときに、シート部材１００をガラス枠２２側へ押し当てる押え部１３４が形成されている。
【００７０】
ガラス枠２２の支軸側（ヒンジ１８側）の端部近傍には、略Ｌ字形状の板金１２０がビス１２４で固定されている。
【００７１】
板金１２０は、前述のリベット１１４との接触を防止するための逃げ穴１２８が形成されており、シート部材１００を取り付けるための取付穴１２６が上下２箇所に形成されている。
【００７２】
次に、本実施形態の作用について説明する。
【００７３】
まず、固定用板金１１０の固定部１１２が、内枠１４の固定部１３０と固定金具１３２とで挟まれる。続いて、固定金具１３２が、固定部１３０にビス１３１で締結され、シート部材１００の一端が内枠１４に固定される。
【００７４】
一方、板金１２０と取付用板金１０４において、挿通穴１０９と取付穴１２６が位置合わせされた状態で、スナップラッチ１０８が挿通穴１０９及び取付穴１２６に挿通される。続いて、スナップラッチ１０８の先端が拡径して、板金１２０と取付用板金１０４とが係合され、シート部材１００の他端がガラス枠２２に取り付けられる。
【００７５】
ここで、シート材１０２は、取付用板金１０４と板金１２０の壁部１２２とで挟まれており、内枠１４とガラス枠２２の隙間１３６を覆うようにして湾曲部１１９が形成されている。これにより、ガラス枠２２の開閉時にシート材１０２が突っ張らないようになっている。
【００７６】
スナップラッチ１０８は、手前に引くと先端が縮径して取付穴１２６からはずれるようになっている。これにより、ガラス枠２２を内枠１４から取り外す場合には、スナップラッチ１０８を手前に引いて、シート部材１００の一端を取り外してから、ガラス枠２２をはずせばよい。
【００７７】
上記の方法により、シート部材１００が内枠１４及びガラス枠２２に取り付けられる。
【００７８】
このとき、シート材１０２が弾性を有し、ガラス枠２２の開放状態に合わせて弾性変形させることができるので、シート部材１００の取り付けが容易となる。
【００７９】
また、シート部材１００のガラス枠２２への取り付けは、スナップラッチ１０８を押すだけでいいので、取り付けが容易となる。
【００８０】
さらに、シート材１０２の両端をそのまま内枠１４及びガラス枠２２に固定せずに、固定用板金１１０及び取付用板金１０４を介して取り付けるので、シート材１０２が傷みにくく、確実に取付けられる。
【００８１】
一方、シート部材１００の取り付け後、ガラス枠２２を閉止すると、内枠１４とガラス枠２２の隙間１３６をシート部材１００が覆う。
【００８２】
これにより、不正行為によって隙間１３６にピアノ線等の不正具が侵入されても、不正具の先端がシート材１０２と接触して侵入を止めるので、パチンコ機１０内部に不正具が侵入されない。
【００８３】
また、不正具によりシート材１０２が傷つけられても、スナップラッチ１０８を引いてビス１３１をゆるめるだけでシート部材１００を容易に取り外せる。
【００８４】
なお、シート部材１００において、固定用板金１１０を用いずに取付用板金１０４を２枚用いて、シート部材１００の両端をスナップラッチ１０８でそれぞれ内枠１４、ガラス枠２２に取付けてもよい。
【００８５】
また、内枠１４側に取付用板金１０４を設け、ガラス枠２２側に固定用板金を設けて、最初にガラス枠２２側にシート部材１００を固定してから、スナップラッチ１０８で内枠１４に取り付けるようにしてもよい。
【００８６】
以上説明したように、本発明の実施形態では、不正行為により内枠１４とガラス枠２２との隙間からピアノ線等が侵入されても、内枠１４とガラス枠２２との隙間をシート部材１００が覆っているので、ピアノ線等がシート部材１００のシート材１０２と接触してパチンコ機１０内部への侵入が防止される。
【００８７】
また、ガラス枠２２の開閉状態に応じてシート材１０２が弾性変形するので、シート材１０２の取付けが容易となる。
【００８８】
さらに、固定用板金１１０及び取付用板金１０４を介してシート材１０２が内枠１４及びガラス枠２２へ取り付けられるので、シート材１０２が傷みにくく、確実に取付けられる。
【００８９】
また、スナップラッチ１０８を用いることでシート部材１００の取り付け作業が容易になる。さらに、不正行為によりシート材１０２が傷つけられることがあっても、スナップラッチ１０８によりシート部材１００を取り外して交換する作業が容易となる。
【００９０】
なお、本発明は上記の実施形態に限定されない。
【００９１】
取付用板金１０４は、Ｌ字形状だけでなく、プレート状のものであってもよい。また、取付用板金１０４のシート材１０２への固定は、接着剤によるものであってもよい。
【００９２】
スナップラッチ１０８は、取付用板金１０４において、３箇所以上の複数箇所に設けてもよい。
【図面の簡単な説明】
【００９３】
【図１】本発明の実施形態に係るパチンコ機の斜視図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】本発明の実施形態に係るパチンコ機の遊技盤を取り外した状態を示す斜視図である。
【図５】本発明の実施形態に係るシート部材の構成図である。
【図６】本発明の実施形態に係るシート部材の取付方法を示す部分図である。
【符号の説明】
【００９４】
１０  パチンコ機
１４  内枠（内枠）
１８  ヒンジ部（ヒンジ部）
２０  ヒンジ部（ヒンジ部）
２２  ガラス枠（ガラス枠）
２６  ガラス（ガラス）
１００  シート部材（シート部材）
１０２  シート材（可撓性シート）
１０４  取付用板金（ガラス枠側取付部材）
１０８  スナップラッチ（スナップラッチ）
１０９  挿入穴（挿入穴）
１１０  固定用板金（内枠側取付部材）
１２６  取付穴（受穴部）
Ｇ  遊技盤（遊技盤）
【図１】
2008104796.tif 000003
【図２】
2008104796.tif 000004
【図３】
2008104796.tif 000005
【図４】
2008104796.tif 000006
【図５】
2008104796.tif 000007
【図６】
2008104796.tif 000008